(57)【要約】【課題】外装ケースの装着用の止めネジを不要とする。【解決手段】その幅方向に貫通する第一の貫通穴２５が形成されたバンド取り付け部２４を備える本体ケース２０と、この本体ケース２０の外側に取り付けられ、バンド取り付け部２４を間に挟んで突出すると共にその幅方向に貫通する第二の貫通穴３２が形成された突部３１を有する外装ケース３０と、バンド取り付け部２４に取り付けられ、長手方向端部にその幅方向に貫通する第三の貫通穴４４を有するリストバンド４０と、を備える腕時計において、各貫通穴２５，３２，４４が略同軸となるようにバンド取り付け部２４、突部３１及びリストバンド４０が配置され、略同軸となる各貫通穴２５，３２，４４に同時に挿通される棒状部材５１と、棒状部材の移動を規制する固定部材５２とを備えている。【選択図】　　　　　図１
2004012191.tif 000002
【特許請求の範囲】
【請求項１】
外方に突出し、その幅方向に貫通する第一の貫通穴が形成されたバンド取り付け部を備える本体ケースと、
この本体ケースの外側に取り付けられ、前記バンド取り付け部を間に挟んで突出すると共にその幅方向に貫通する第二の貫通穴が形成された突部を有する外装ケースと、
前記バンド取り付け部に取り付けられ、長手方向端部にその幅方向に貫通する第三の貫通穴を有するリストバンドと、を備える腕時計であって、
前記第一，第二及び第三の貫通穴が略同軸となるように前記バンド取り付け部、前記突部及び前記リストバンドが配置され、
略同軸となる前記第一，第二及び第三の貫通穴に同時に挿通される棒状部材と、
前記棒状部材の長手方向の移動を規制して固定する固定部材と、
を備えることを特徴とする腕時計。
【請求項２】
前記棒状部材がその長手方向に沿って弾性的に収縮させることを可能とし、
前記固定部材は前記棒状部材を収縮させた状態でその両端部を支持することを特徴とする請求項１記載の腕時計。
【請求項３】
前記リストバンドの前記本体ケース側端面に前記バンド取り付け部及び前記突部を覆い隠すように挿入することが可能な凹状部を設け、
前記凹状部の両側の側壁部の各々に前記第三の貫通穴を設けたことを特徴とする請求項１又は２記載の腕時計。
【請求項４】
前記バンド取り付け部に，その突出方向とほぼ直交する方向に突出した突起部を設け、前記リストバンドに前記突起部に嵌合する凹部を設けたことを特徴とする請求項１，２又は３記載の腕時計。
【請求項５】
前記外装ケースの外面の一部又は全部を覆うカバーを備え、前記カバーは、前記カバーと外装ケースとの間に設けられた凹凸構造により前記外装ケースに嵌め込み装着されることを特徴とする請求項１，２，３又は４記載の腕時計。
【発明の詳細な説明】
【０００１】
【発明の属する技術分野】
本発明は、腕時計に係り、特に外装ケースを備える腕時計に関する。
【０００２】
【従来の技術】
従来の腕時計１００は、図６に示すように、ムーブメントや電子モジュール（図示略）を格納する本体ケース１２０と、本体ケース１２０の外面の一部又は全部を覆う樹脂や金属等からなる外装ケース１３０と、本体ケース１２０を人間の手首に装着するためのリストバンド（図示略）とを備えている。
そして、外装ケース１３０は、本体ケース１２０に対してネジ止めにより装着されていた。
【０００３】
【発明が解決しようとする課題】
しかしながら、上記腕時計１００では、外装ケース１３０が止めネジを使用して本体ケース１２０に固定されていたので、腕時計１００の組み立て作業に際してネジ止め作業が不可欠となり煩雑であり、また、部品点数も多くなるので、生産性が低下するという不都合があった。
また、止めネジの占有するスペースを考慮しなければならず、時計全体の形状の設計の自由度が低下するという不都合があった。
本発明は、本体ケースに外装ケースを固定する止めネジを不要とし、生産性の向上を図ることを、その目的とする。
【０００４】
【課題を解決するための手段】
請求項１記載の発明は、外方に突出し、その幅方向に貫通する第一の貫通穴（２５）が形成されたバンド取り付け部（２４）を備える本体ケース（２０）と、この本体ケースの外側に取り付けられ、バンド取り付け部を間に挟んで突出すると共にその幅方向に貫通する第二の貫通穴（３２）が形成された突部（３１）を有する外装ケース（３０）と、バンド取り付け部に取り付けられ、長手方向端部にその幅方向に貫通する第三の貫通穴（４４）を有するリストバンド（４０）と、を備える腕時計（１０）において、第一，第二及び第三の貫通穴が略同軸となるようにバンド取り付け部、突部及びリストバンドが配置され、略同軸となる第一，第二及び第三の貫通穴に同時に挿通される棒状部材（５１）と、棒状部材の長手方向の移動を規制して固定する固定部材（５２）と、を備えるという構成を採っている。
【０００５】
請求項１記載の発明によれば、本体ケースに外装ケース及びリストバンドを装着する場合に、各々に設けられた第一〜三の貫通穴を略同軸上に並べ、各貫通穴に同時に挿通された状態となるように棒状部材を挿入する。そして、棒状部材が各貫通穴から抜けてしまわないように、固定部材により棒状部材を移動不能に固定する。このように一つの棒状部材が各貫通穴に同時に挿通状態にあることにより、本体ケース，外装ケース及びリストバンドは一体的に連結されることになる。
その結果、従来使用していた外装ケース用の止めネジを不要とし、部品点数の軽減，ネジ止め作業の解消，ネジ穴スペースの確保，ネジによる外観デザイン性の低下の解消等が図られる。
【０００６】
請求項２記載の発明は、請求項１記載の発明と同様の構成を備えると共に、棒状部材がその長手方向に沿って弾性的に収縮させることを可能とし、固定部材を棒状部材を収縮させた状態でその両端部を支持する、という構成を採っている。
【０００７】
請求項２記載の発明によれば、各貫通穴に棒状部材を挿通させ、各貫通穴の外部に露出する棒状部材の両端部を弾性に抗して押圧してその全長を収縮させ、かかる状態で固定部材を嵌める。棒状部材の両端を支持する固定部材は、収縮状態により生じる弾性により押圧力を受けて固定部材と棒状部材の係合状態は維持される。また、棒状部材はその両端部が固定部材により支持されている状態にあるので、その長手方向に沿った移動が規制され、各貫通穴に挿通された状態が維持される。
このように、棒状部材の収縮と固定部材の嵌め込みという簡易な作業により腕時計の組み立てを工具なしで可能とするので、その生産性の向上に寄与することとなる。
【０００８】
請求項３記載の発明は、請求項１又は２記載の発明と同様の構成を備えると共に、リストバンドの本体ケース側端面にバンド取り付け部及び突部を覆い隠すように挿入することが可能な凹状部（４２）を設け、凹状部の両側の側壁部（４３）の各々に第三の貫通穴を設けている。
【０００９】
請求項３記載の発明によれば、本体ケースに外装ケース及びリストバンドを装着する際に、突部がバンド取り付け部に隣接した状態でこれらをリストバンドの凹状部に挿入する。挿入後は、互いに隣接するバンド取り付け部と突部のさらに両側にリストバンドの側壁部が並ぶこととなる。そして、この側壁部には第三の貫通穴が設けられていることから、バンド取り付け部の第一の貫通穴と、突部の第二の貫通穴と、側壁部の第三の貫通穴とを略同軸に並べることができ、かかる状態で棒状部材を全ての貫通穴に挿通すると共に固定部材で固定することにより、本体ケース，外装ケース及びリストバンドが一体的に連結される。
その結果、バンド取り付け部と突部とは、リストバンドにより覆い隠されることとなり、機構的な外観を曝すことなくデザイン性に自由度を持たせることことが可能となる。
【００１０】
請求項４記載の発明は、請求項１，２又は３記載の発明と同様の構成を備えると共に、バンド取り付け部に，その突出方向とほぼ直交する方向に突出した突起部（２６Ａ）を設け、リストバンドに突起部に嵌合する凹部（４６Ａ）を設ける、という構成を採っている。
【００１１】
請求項４記載の発明によれば、棒状部材によりリストバンドを本体ケースのバンド取り付け部に連結した場合に、バンド取り付け部の突起部がリストバンド側の凹部に嵌合した状態となる。そして、この突起部はバンド取り付け部の突出方向にほぼ直交する方向に突出していることから、リストバンドに長手方向に沿って外部から張力が加えられた場合でも、突起部が凹部に係止状態となり、リストバンドと本体ケースとの密接状態を維持し、隙間の発生を防止する。また、リストバンドに加えられた張力は、棒状部材のみならず突起部と凹部との間にも分散して作用し、本体ケースとリストバンドとの連結状態の強化が図られると共にリストバンドの連結部位の耐久性の向上が図られる。
【００１２】
請求項５記載の発明は、請求項１，２，３又は４記載の発明と同様の構成を備えると共に、外装ケースの外面の一部又は全部を覆うカバー（６０Ｂ）を備え、カバーは、カバーと外装ケースとの間に設けられた凹凸構造（６１Ｂ，３３Ｂ）により外装ケースに嵌め込み装着される、という構成を採っている。
【００１３】
請求項５記載の発明によれば、一例として突起と係合穴のような凹凸構造の一方をカバーに，他方を外装ケースに設け、かかる突起を係合穴に嵌め込むことによりカバーを外装ケースに連結する。そして、このカバーにより覆われた部分について強度性の向上を図ることができ、特に、凹凸構造によりカバーを装備したことから、ネジ止めと比較して、外部の衝撃が内側に伝わりにくく、時計のムーブメント等の保護がより強化される。
【００１４】
【発明の実施の形態】
［第一の実施形態］
本発明の第一の実施形態を図１乃至図３に基づいて説明する。図１（Ａ）は本実施形態たる腕時計１０の要部を示す一部を切り欠いた説明図であり、図１（Ｂ）は図１（Ａ）における下方から見た部分断面図を示す。
腕時計１０は、ムーブメントや電子モジュール（図示略）を格納する本体ケース２０と、本体ケース２０の文字盤側正面部の周囲を覆う外装ケース３０と、本体ケース２０を人間の手首に装着するためのリストバンド４０と、これらを一体的に連結する連結機構５０とを備えている。
【００１５】
上記本体ケース２０は、文字盤側正面部に配設され，ムーブメントの文字盤その他の表示部を保護する透明板２１と、この透明板２１をその周囲から保持すると共にその周囲に側壁部を形成する枠体２２と、透明板２１に対向して枠体に保持された底板２３とによりムーブメントを格納する密閉容器を構成している。上記透明板２１は強化ガラス又は強化プラスティック等からなり、枠体２２はＡＢＳ樹脂、底板２３はステンレス等の金属からなる。
【００１６】
さらに、本体ケース２０における文字盤側正面部の一端部（アナログの文字盤を採用したとしたならば当該文字盤の中心から１２時を指す方向における端部）には枠体２２の側壁面上から突出して設けられたバンド取り付け部２４が形成されている。かかるバンド取り付け部２４は、本体ケース２０と外部ケース３０とリストバンド４０とを一体的に連結するために設けられている。さらに、このバンド取り付け部２４には、本体ケース２０に連結された状態におけるリストバンド４０の幅方向に沿って第一の貫通穴２５が設けられている。以下、この第一の貫通穴２５の中心線に沿った方向を貫通穴方向Ｃとする。
【００１７】
外装ケース３０は、枠体２２の外面をほぼ全体に渡って覆うように当該枠体２２に装着される。そして、この外装ケース３０は、本体ケース２０の枠体２２よりも弾性を備えたポリウレタン等の素材からなり、枠体２２を覆うことにより当該枠体２２を保護する緩衝材としての機能を有している。
【００１８】
外装ケース３０には、外装ケース３０を本体ケース２０に装着した状態において、バンド取り付け部２４の貫通穴方向Ｃ側の両側の端面に個別に隣接し、当該バンド取り付け部２４と同方向に突出した二つのリブ状の突部３１を備えている（一方は図示略）。この突部３１は、貫通穴方向Ｃにおける端面の形状がバンド取り付け部２４と等しく形成されており、これらが互いに隣接するときにはズレによる凹凸を生じない。
【００１９】
そして、各突部３１にも、貫通穴方向Ｃに沿った第二の貫通穴３２が形成されている。これら第二の貫通穴３２は、外装ケース３０が本体ケース２０に装着された状態において、その中心線がバンド取り付け部２４の第一の貫通穴２５の中心線と同一線上となり、且つ、その内径が第一の貫通穴２５と等しく設定されている。従って、外装ケース３０を本体ケース２０に装着した状態にあっては、第一の貫通穴２５と二つの第二の貫通穴３２とは、ズレのない状態で一致することとなる。
【００２０】
リストバンド４０は、外装ケース３０と同様に弾性を備えたポリウレタン等の素材からなり、その一端部が本体ケース２０のバンド取り付け部２４に連結される。そして、連結状態にあっては、リストバンド４０の全体的な長手方向が、本体ケース２０における文字盤側正面部の一端部に延びる方向（アナログの文字盤を採用したとしたならば当該文字盤の中心から１２時を指す方向）に沿った状態となる。
【００２１】
上記リストバンド４０の連結側端部は、他方の端部と比較してその幅が広く且つその厚さも厚くなっており、かかる端部の端面部４１が外装ケース３０の側面側に面接触する。さらに、リストバンド４０の端面部４１には、前述したバンド取り付け部２４及び二つの突部３１を一体的に挿入し嵌め込むことが可能な凹状部４２が形成されている。さらに、この凹状部４２に嵌合した状態にある各突部３１の貫通穴方向Ｃ側に隣接して係合部としての側壁部４３が二つ形成されている（一方は図示略）。
【００２２】
そして、各側壁部４３にも、貫通穴方向Ｃに沿った第三の貫通穴４４が形成されている。また、各側壁部４３は、第三の貫通穴４４の中心線を通り且つリストバンド４０の長手方向に沿った断面における形状が本体ケース２０側に突出した凸状となっている。
一方、各貫通穴４４は、バンド取り付け部２４と各突部３１とが凹状部４２に嵌合した状態において、その中心線が第一の貫通穴２５及び第二の各貫通穴３２の中心線と同一線上となり、且つ、その内径がこれら第一及び第二の貫通穴２５，３２と等しく設定されている。
【００２３】
従って、本体ケース２０に外装ケース３０を装着し、且つ、バンド取り付け部２４及び各突部３１を凹状部４２に挿入させた状態において、各側壁部４３と各突部３１とバンド取り付け部２４とは貫通穴方向Ｃに沿った一直線上に並び、さらに、第一の貫通穴２５と第二の各貫通穴３２と第三の各貫通穴４４とは、ズレのない状態で一致することとなる。
【００２４】
次に、連結機構５０について図２，３に基づいて説明する。図２は連結機構５０の取り付け方法を示す説明図，図３は後述する棒状部材５１の構造を示す断面図である。連結機構５０は、本体ケース２０に外装ケース３０を装着し、且つ、バンド取り付け部２４及び各突部３１を凹状部４２に挿入させた状態において、ズレのない状態で貫通穴方向Ｃに沿った一直線上に並んだ第一の貫通穴２５，第二の各貫通穴３２及び第三の各貫通穴４４全てに挿通される棒状部材５１と、かかる棒状部材５１が貫通穴２５，３２，４５から抜けないようにその移動を規制する固定部材としてのストッパ５２とを備えている。
【００２５】
上記棒状部材５１は、図３に示すように、その内径が一様な筒状体５３と、筒状体５３の一端部と他端部とにおいてそれぞれ筒状体の長手方向に沿って突出と後退とを自在に支持された突出ピン５４，５４と、双方の突出ピン５４，５４に常時突出状態を付勢するコイルバネ５５とを備えている。
上記筒状体５３は両端面の中央に挿通穴が設けられ、これら各挿通穴に突出ピン５４，５４が係合している。
突出ピン５４は、筒状体５３の挿通穴を挿通自在の棒状のピン本体５４ａと、筒状体５３の内側となる端部に設けられたピン本体５４ａよりも大径のバネ受け部５４ｂと、外側となる端部近傍に設けられ，ピン本体５４ａの筒状体５３の内部への入り込み過ぎを防止する移動止め部５４ｃとからなる。
棒状部材５１は、上記構造により、通常は各突出ピン５４，５４がコイルバネ５５に付勢されて突出状態にあることから最大長となり、かかるコイルバネ５５に抗して各突出ピン５４を後退させることにより、より収縮させることが可能である。
また、棒状部材５１の自然長は、二つの第三の貫通穴４４が設けられた位置におけるリストバンド４０の幅よりも長く、且つ当該幅よりも短くなるまで収縮させることができる。
【００２６】
ストッパ５２は、短冊状の板状体の両端部を屈曲させて立ち上げた略コ字状を呈している。そして、立ち上げられた両端部の対向面にはいずれも棒状部材５１の両端にある突出ピン５４の先端部が挿入可能な係合穴５２ａが設けられている。また、立ち上げられた両端部の距離は、棒状部材５１の最大長よりも若干短く設定され、当該棒状部材５１を一旦収縮させてからはめ込むと、内部のコイルバネ５５の弾性により、各突出ピン５４の先端部がストッパ５２の両方の係合穴にはめ込まれた状態が維持される。なお、前述したリストバンド４０には、一方の第三の貫通穴４４から他方の第三の貫通穴に渡って、バンドの幅方向に沿ったストッパ５２の嵌め込み用の溝４７が形成されている。かかる溝４７は、リストバンド４０の裏面側（腕時計を腕に装着したときに腕に接触する面）において、ストッパ５２の形状に応じて設けられており、かかる溝４７にストッパ５２を嵌め込むことにより当該ストッパ５２は完全に溝４７内に格納され、外部に突出することはない。従って、腕時計１０を人の腕に装着した場合であってもストッパが腕にあたることがない。
【００２７】
上記構成からなる腕時計１０の組み立て構造を説明する。まず、本体ケース２０のバンド取り付け部２４と外装ケース３０の各突部３１が貫通穴方向Ｃに沿って並ぶように外装ケース３０を本体ケース２０に装着する。さらに、バンド取り付け部２４及び各突部３１をリストバンド４０の凹状部４２に嵌め込むと、バンド取り付け部２４，各突部３１及び各側壁部４４が貫通穴方向Ｃに沿って一列に並び、各貫通穴２５，３２，４４が一致した状態となる。
そして、一致した状態の各貫通穴２５，３２，４４に棒状部材５１を挿入する。さらに、かかる棒状部材５１の両方の突出ピン５４を各貫通穴４４の内側に隠れるまで押し込んでから、リストバンド４０に形成されたストッパ用の溝４７にストッパ５２を嵌め込むと、両方の突出ピン５４の先端部がストッパ５２の各係合穴５２ａにはまりこみ、棒状部材５１の抜き取り方向の移動が規制される。また、かかる係合によりストッパ５２の取り外し方向への移動も同時に規制される。
このように、棒状部材５１を各貫通穴２５，３２，４４に同時に挿入することにより、本体ケース２０，外装ケース３０及びリストバンド４０が一体的に連結される。
【００２８】
以上のように、腕時計１０では、バンド取り付け部２４と突部３１と側壁部４４とを貫通穴方向Ｃに沿って並べる配置とし、一致する配置でこれらに貫通穴２５，３２，４４を設けたので、棒状部材５１とそのストッパ５２という簡易な構成で、本体ケース２０，外装ケース３０及びリストバンド４０とを一体的に組み上げることを可能とし、従来必要としていた止めネジを不要とするため、部品点数の軽減を図り、生産性の向上を図ることが可能である。また、止めネジを不要とすることから、ネジ穴の配置及びその占有スペースを考慮する必要がなくなり、設計自由度を確保することからより生産性の向上を図ることが可能となり、同時に、小型化，軽量化や強度の向上にも貢献する。さらに、腕時計の表面に止めネジの頭が曝されることもないので、外観の煩雑さを解消し、よりデザイン性の向上を図ることも可能である。
さらに、連結機構５０を伸縮自在の棒状部材５１とその収縮により係合可能なストッパ５２とから構成したので、棒状部材５１を収縮させてストッパ５２を嵌め込むという簡易な作業により腕時計の１０の組み立てを可能とし、また工具も不要となるので、より生産性の向上を図ることが可能である。
【００２９】
なお、この第一の実施形態では、腕時計１０のアナログ文字盤の１２時方向側における半分の構成についてのみ説明したが、中心から６時方向側における半分についても１２時方向側における半分の構成と同様の構成としても良い。但し、その場合でも、リストバンド４０については、一方については自由端となる端部にバックルと止めピンを設け、他方については自由端となる端部から長手方向に沿って止めピンが挿入可能な複数の係止穴を設ける構成とすることが望ましい。また、リストバンドについては二本設けることに限定されず、例えば、その長手方向中間部において長さ調節が可能である一本のリストバンドの一端部と他端部とをそれぞれ本体ケース２０の一端側と他端側に連結する構成としても良い。
【００３０】
また、連結機構は、貫通穴２５，３２，４４に挿入可能で各構成を係止可能な長さを有する棒状のものを含む限り、上記構成に限定されるものではない。所定の長さを有する貫通穴２５，３２，４４に挿入可能なボルトとナットから構成し、入手又は生産の容易性の観点からより生産性の向上を図る構成としても良い。
【００３１】
［第二の実施形態］
本発明の第二の実施形態を図４に基づいて説明する。図４（Ａ）は本実施形態たる腕時計１０Ａの要部を示す一部を切り欠いた説明図であり、図４（Ｂ）は図４（Ａ）における下方から見た部分断面図を示す。なお、腕時計１０Ａについて前述した腕時計１０と同一の構成については同符号を付して重複する説明は省略するものとする。
腕時計１０Ａは、ムーブメント又は電子モジュール（図示略）を格納する本体ケース２０Ａと、本体ケース２０の文字盤側正面部の周囲を覆う外装ケース３０と、本体ケース２０を人間の手首に装着するためのリストバンド４０Ａと、これらを一体的に連結する連結機構５０とを備えている。
【００３２】
腕時計１０Ａは、本体ケース２０Ａのバンド取り付け部２４Ａの先端に当該バンド取り付け部２４Ａの突出した方向に対して屈曲した方向に突出したリブ状の突起部２６Ａを設けたことと、リストバンド４０Ａの凹状部４２Ａに上記突起部２６Ａが嵌合可能な凹部としての窪み部４６Ａを設けたこと、さらに、凹状部４２Ａ内の窪み部４６Ａと対向する位置にリストバンド４０Ａの表面まで貫通する逃げ穴を設けたことのみが、前述した腕時計１０と異なっている。従って、これらの異なる点についてのみ詳細に説明する。
【００３３】
上記突起部２６Ａは、バンド取り付け部２４Ａの突出方向に対して９０［°］に近い角度で屈曲した方向に突出している。また、突起部２６Ａは、その幅方向（図４（Ａ）紙面上下方向）について当該バンド取り付け部２４Ａとおおむね同程度の幅に設定され、その形状は矩形状に形成されている。なお、突起部２６Ａはより幅の小さいものをバンド取り付け部２４Ａのほぼ全幅に渡って複数並べて設ける構成としても良い。
【００３４】
一方、リストバンド４０Ａの凹状部４２Ａ内に設けられた窪み部４６Ａは、突起部２６Ａがほぼ隙間なく嵌合するようにその形状及びその寸法が設定されている。
また、窪み部４６Ａと対向する位置に逃げ穴を設けたので、凹状部４２Ａ内にバンド取り付け部２４Ａを挿入する際に、当該バンド取り付け部２４Ａの先端部を一端逃げ穴側に向けて逃がすように挿入してから、突起部２６Ａを窪み部４６Ａに挿入し嵌合させることにより、突起部２６Ａが妨げとならずバンド取り付け部２４Ａを凹状部４２Ａに円滑に挿入することができる。
【００３５】
腕時計１０Ａは、上述の構成により、腕時計１０と同様の効果を有する上に、突起部２６Ａが凹状部４２Ａ内の窪み部４６Ａに嵌合しているため、リストバンド４０Ａと外装ケース３０との密着性を維持し、これらの間の隙間の発生を有効に防止することが可能となる。また、リストバンド４０Ａが張力を受けた場合であっても、棒状部材５３のみならず突起部２６Ａと窪み部４６Ａとにも張力による負担を分散させることが可能となり、リストバンド４０の連結部における耐久性の向上を図ることが可能となる。
【００３６】
さらに、本体ケース２０Ａ，外装ケース３０及びリストバンド４０Ａの組み立ての際に、本体ケース２０Ａのバンド取り付け部２４Ａをリストバンド４０Ａの凹状部４２Ａに挿入すれば突起部２６Ａが窪み部４６Ａに係止され、一定以上の外力を加えない限り、リストバンド４０Ａが本体ケース２０Ａ及び外装ケース３０に連結された状態を維持することが可能となる。従って、かかる状態で本体ケース２０Ａ側とリストバンド４０Ａ側の双方を支えなくとも各貫通穴２５，３２，４４の位置ズレの発生を有効に防止できるため、棒状部材５１を各貫通穴２５，３２，４４に挿入する際の作業が容易となり、作業効率を高め、より生産性の向上を図ることが可能となる。
【００３７】
なお、この第二の実施形態でも、腕時計１０Ａの１２時方向側における半分の構成についてのみ説明したが、６時方向側における半分についても１２時方向側の半分の構成と同様の構成としても良い。また、その場合におけるリストバンド４０Ａの構成については腕時計１０の場合と同様である。
さらに、腕時計１０Ａの場合も、連結機構については、ボルトとナットのように各貫通穴２５，３２，４４に挿入可能で各構成を係止可能な長さを有する棒状のものを含む他の構成としても良い。
【００３８】
［第三の実施形態］
本発明の第三の実施形態を図５に基づいて説明する。図５（Ａ）は本実施形態たる腕時計１０Ｂの要部を示す一部を切り欠いた説明図であり、図５（Ｂ）は図５（Ａ）の下方から見た部分断面図を示す。なお、腕時計１０Ｂについて前述した腕時計１０と同一の構成につては同符号を付して重複する説明は省略するものとする。
腕時計１０Ｂは、ムーブメント（図示略）を格納する本体ケース２０と、本体ケース２０の文字盤側正面部の周囲を覆う外装ケース３０Ｂと、この外装ケース３０Ａの外面のほぼ全体を覆う外カバーとしての被せベゼル６０Ｂと、本体ケース２０を人間の手首に装着するためのリストバンド４０と、これらを一体的に連結する連結機構５０とを備えている。
【００３９】
上記腕時計１０Ｂは、新たな構成として被せベゼル６０Ｂを備え、この被せベゼル６０Ｂを装着するための凹凸構造を被せベゼル６０Ｂと外装ケース３０Ｂとの間に設けた点についてのみ腕時計１０と異なっている。従って、これらの異なる点についてのみ詳細に説明する。
【００４０】
上記被せベゼル６０Ｂは、外装ケース３０Ｂの正面（透明板２１の周囲の面）と側面のほぼ全体を隙間なく被覆するステンレス等の金属からなる殻状のカバーである。そして、被せベゼル６０Ｂには、外装ケース３０Ｂの側面に設けられた突起３３Ｂに対応する位置に当該突起３３Ｂが嵌め込まれる係合穴６１Ｂが設けられている。
一方、リストバンド４０は腕時計１０の説明で前述したように、外装ケース３０の側面に面接触する端面部４１を備えている。腕時計１０Ｂの場合には、外装ケース３０Ｂの側面は被せベゼル６０Ｂに覆われているので、リストバンド４０の端面部４１は、被せベゼル６０Ｂの側面に面接触することになる。そして、外装ケース３０Ｂの突起３３Ｂと被せベゼル６０Ｂの係合穴６１Ｂとは、リストバンド４０の端面部４１が面接触する範囲内に配置設定されている。
【００４１】
腕時計１０Ｂは、上述の構成により、腕時計１０と同様の効果を有する上に、外装ケース３０Ｂよりも硬質なステンレスからなる被せベゼル６０Ｂにより外部が覆われるので、より強度を向上させることが可能である。
また、被せベゼル６０Ｂは、外装ケース３０Ｂに対し、突起３３Ｂと係合穴６１Ｂとにより装着されているので、ネジ止め等を行う場合と比較して、外部からの衝撃を本体ケース２０まで伝えにくく、当該衝撃から本体ケース２０やその内部のムーブメントをより効果的に保護することが可能である。
さらに、外装ケース３０Ｂの突起部３３Ｂ及び被せベゼル６０Ｂの係合穴６１Ｂがリストバンド４０の端面部４１の接触範囲内に配置としたことにより、被せベゼル６０Ｂの係合穴６１Ｂの周囲が外装ケース３０Ｂの側面から離れて突起３３Ｂと係合穴６１Ｂの係合状態が解かれてしまう事態の発生を有効に防止し、被せベゼル６０Ｂの不慮の脱落を有効に防止することが可能である。
【００４２】
なお、この第三の実施形態でも、腕時計１０Ｂの１２時方向側における半分の構成についてのみ説明したが、６時方向側における半分についても１２時方向側の半分の構成と同様の構成としても良い。また、その場合におけるリストバンド４０の構成については腕時計１０の場合と同様である。
さらに、腕時計１０Ｂの場合も、連結機構については、ボルトとナットのように各貫通穴２５，３２，４４に挿入可能で各構成を係止可能な長さを有する棒状のものを含む他の構成としても良い。
また、外装ケース３０Ｂの突起３３Ｂと被せベゼル６０Ｂの係合穴６１Ｂの個体数については、一つに限らずより多くとも良い。その場合、突起３３Ｂ及び係合穴６１Ｂの一部又は全部について、リストバンド４０の端面部４１により隠れる配置とすることが望ましい。
さらに、被せベゼル６０Ｂについては外装ケース３０Ｂよりも硬質であればその素材はステンレス等の金属に限定されるものではない。
【００４３】
【発明の効果】
請求項１記載の発明は、本体ケースと外装ケースとリストバンドとに設けられた各貫通穴に同時に一つの棒状部材を挿通し、固定部材により棒状部材を固定するとにより、本体ケース，外装ケース及びリストバンドを一体的に連結するので、本体ケースと外装ケースとの連結に従来使用されていた止めネジを不要とすることができる。従って、部品点数の軽減を図り、生産性の向上を図ることが可能となる。また、煩雑なネジ止め作業を不要として、組み立てにおける作業効率の向上を図ることが可能とある。また、同様の理由から、ネジ穴の配置及びその占有スペースを考慮する必要がなくなり、設計自由度を確保することからより生産性の向上を図ることが可能となり、同時に、小型化，軽量化や強度の向上にも貢献する。さらに、腕時計の表面に止めネジの頭が曝されることもないので、外観の煩雑さを解消し、よりデザイン性の向上を図ることも可能であ
る。
【００４４】
請求項２記載の発明は、棒状部材を収縮自在にとし、収縮時の弾性力を持って係合する固定部材を備えるので、棒状部材を収縮させて固定部材を嵌め込むという簡易な作業により腕時計の組み立てを可能とし、また工具も不要となるので、より生産性の向上を図ることが可能である。
【００４５】
請求項３記載の発明は、リストバンドにバンド取り付け部及び突部を挿入可能な凹状部を設け、これにより、バンド取り付け部及び突部を覆っているので、これらの部位の保護を図ることができ、保守性の向上を図ることが可能である。さらに、バンド取り付け部及び突部がリストバンドにより覆われるので、これらによる外観の煩雑さを解消し、デザイン性の自由度を確保することが可能となる。
【００４６】
請求項４記載の発明は、突起部が凹部に嵌合しているため、リストバンドと外装ケースとの密着性を維持し、これらの間の隙間の発生を有効に防止することが可能となる。また、リストバンドが張力を受けた場合であっても、棒状部材のみならず突起部と凹部とにも張力による負担を分散させることが可能となり、リストバンドの連結部位における耐久性の向上を図ることが可能となる。
【００４７】
さらに、本体ケース，外装ケース及びリストバンドの組み立ての際に、突起部が凹部に係止され、一定以上の外力を加えない限り、リストバンドが本体ケースに連結された状態を維持することが可能となる。従って、かかる状態で本体ケース側とリストバンド側の双方を固定しなくとも相互の貫通穴の位置ズレの発生を有効に防止でき、棒状部材を各貫通穴に挿入する際の作業が容易となり、作業効率を高め、より生産性の向上を図ることが可能となる。
【００４８】
請求項５記載の発明は、カバーにより外装ケースの外部が覆われるので、より強度を向上させることが可能である。
また、カバーは外装ケースに対し、凹凸構造により装着されているので、ネジ止め等を行う場合と比較して、外部からの衝撃を本体ケースまで伝えにくく、当該衝撃から本体ケースやその内部のムーブメントをより効果的に保護することが可能である。
【図面の簡単な説明】
【図１】図１（Ａ）は本実施形態たる腕時計の要部を示す一部を切り欠いた説明図であり、図１（Ｂ）は図１（Ａ）における下方から見た部分断面図を示す。
【図２】連結機構の取り付け方法を示す説明図である。
【図３】棒状部材の構造を示す断面図である。
【図４】図４（Ａ）は第二の実施形態たる腕時計の要部を示す一部を切り欠いた説明図であり、図４（Ｂ）は図４（Ａ）における下方から見た部分断面図を示す。
【図５】図５（Ａ）は第三の実施形態たる腕時計の要部を示す一部を切り欠いた説明図であり、図５（Ｂ）は図５（Ａ）における下方から見た部分断面図を示す。
【図６】各電源ピンに接続されるバイパスコンデンサの従来の配置を示す説明図である。
【符号の説明】
１０，１０Ａ，１０Ｂ　腕時計
２０，２０Ａ　本体ケース
２４　バンド取り付け部
２５　第一の貫通穴
２６Ａ　突起部
３０，３０Ｂ　外装ケース
３１　突部
３２　第二の貫通穴
３３Ｂ　係合穴（凹凸構造）
４０，４０Ａ　リストバンド
４３　側壁部（係合部）
４４　第三の貫通穴
４６Ａ　窪み部（凹部）
５１　棒状部材
５２　ストッパ（固定部材）
６０Ｂ　カバー
６１Ｂ　突起（凹凸構造）
【図１】
2004012191.tif 000003
【図２】
2004012191.tif 000004
【図３】
2004012191.tif 000005
【図４】
2004012191.tif 000006
【図５】
2004012191.tif 000007
【図６】
2004012191.tif 000008